(57)【要約】【課題】箱型パレットにおける扉パネルの閉じ状態でのロック機能を高める。【解決手段】開閉自在な扉パネル５閉じ位置でロックする係止手段１１が、側パネル側から突出する被係止部１４に対し係合する進出位置と当該被係止部１４から離脱する後退位置との間でピン長さ方向に出退移動可能で且つピン軸心の周りの自転可能に支持されたロックピン１６と、このロックピン１６に連設された把手部１７とから構成され、この係止手段１１には、扉パネル５側の２本の縦材１３ｂ，１３ｄと係合してロックピン１６を進出位置に位置決めする一対の係合部２２，２３が設けられ、この一対の係合部２２，２３の内の少なくとも一方の係合部２２と当該係合部２２が当接する扉パネル５側の縦材１３ｂの円柱状周面とで、垂下姿勢の直前に把手部１７の回転抵抗を最大にする把手部垂下姿勢保持手段が構成されている。【選択図】図２
2007112453.tif 000002
【特許請求の範囲】
【請求項１】
開閉自在な扉パネルと当該扉パネルを閉じた状態でロックする係止手段とを備え、当該係止手段は、扉パネルに隣接する側パネル側から突出する被係止部に対し係合する進出位置と当該被係止部から離脱する後退位置との間でピン長さ方向に出退移動可能で且つピン軸心の周りの自転とが可能に前記扉パネルに支持されたロックピンと、このロックピンに連設された把手部とから構成され、この係止手段には、前記進出位置にロックピンがある状態で前記把手部を扉パネルに沿う垂下姿勢にロックピンと共に回転させたとき、扉パネル側の２本の縦材と係合してロックピンを進出位置に位置決めする一対の係合部が設けられ、この一対の係合部の内の少なくとも一方の係合部と当該係合部が当接する扉パネル側の縦材の円柱状周面とで、前記垂下姿勢の直前に把手部の回転抵抗を最大にする把手部垂下姿勢保持手段が構成されている、箱型パレットの扉パネルロック装置。
【請求項２】
一対の前記係合部の内の少なくとも１つは、ロックピンから突設された略半円形の突起によって構成され、この突起が前記把手部垂下姿勢保持手段を構成する係合部となっている、請求項１に記載の箱型パレットの扉パネルロック装置。
【請求項３】
前記把手部は棒材をＵ字形に曲げ加工して構成されたもので、その両縦軸部がロックピンに固着され、一対の前記係合部の内の１つは前記把手部の一方の縦軸部で構成され、他の１つの係合部は、ロックピンから突設された略半円形の突起によって構成され、この突起が前記把手部垂下姿勢保持手段を構成する係合部となっている、請求項１に記載の箱型パレットの扉パネルロック装置。
【請求項４】
前記ロックピンは、扉パネルの外側に付設された左右一対のガイド部材によって支持され、当該一対のガイド部材は、棒材を略半円形に曲げ加工して内側をロックピンが貫通するように突出させたロックピン支持部を備え、ロックピンが進出位置にあるときの前記突起は、前記一対のガイド部材の内の一方のガイド部材の外側に位置し、把手部が垂下姿勢と真上に起立する姿勢との間の中間一定角度にあるときのみ、前記突起が前記ガイド部材のロックピン支持部を内側へ通過移動できるように構成されている、請求項２に記載の箱型パレットの扉パネルロック装置。
【発明の詳細な説明】
【技術分野】
【０００１】
本発明は、開閉自在な扉パネルを備えた箱型パレット、特にその扉パネルのロック装置に関するものである。
【背景技術】
【０００２】
扉パネルを備えた箱型パレットとして、特許文献１に記載のように、開閉自在な扉パネルと当該扉パネルを閉じた状態でロックする係止手段とを備え、当該係止手段が、扉パネルに隣接する側パネル側の被係止部に対し係合する進出位置と当該被係止部から離脱する後退位置との間でピン長さ方向に出退移動可能で且つピン軸心の周りの自転とが可能に前記扉パネルに支持されたロックピンと、このロックピンに連設された把手部とから構成され、前記ロックピンが被係止部に係合する進出位置にある状態で前記把手部を扉パネルの外側に沿う垂下姿勢に回転させたとき、扉パネル側の縦材などに当該把手部が隣接してロックピンの後退移動を阻止するように構成された箱型パレットが知られている。
【０００３】
この種の箱型パレットの使用方法として、内袋をパレット内にセットし、この内袋に穀物などのバラものを収納する使用方法が知られている。このような使用方法でパレットを使用する場合、その内袋の内容物を取り出すときは、フォークリフトが備える反転機により内袋ごとパレットを掬い上げて反転させ、下向きになった内袋の口から内容物を排出させることになるのであるが、パレットが上下逆向きになることで、垂下姿勢にあってロックピンを進出位置（ロック位置）に保持していた把手部が重力で上下逆向きに反転し、ロックピンに対するロックが解除された状態になる。この状態では、パレットを取り扱うときの振動でロックピンがロック解除方向にスライドして、扉パネルのロックが不測に外れてしまう恐れがある。従って、このパレットをフォークリフトで持ち上げて反転させる作業の途中で扉パネルが開いてしまったり、扉パネルのロックが外れた状態でパレットが正立姿勢に戻されたときに扉パネルが開いてしまうような、危険を伴う異常事態が発生することになる。このような問題点を解決する手段として、特許文献２に記載のように、把手部をスプリングでパレットに対する垂下姿勢に付勢保持させ、仮にパレットが上下逆向きになっても把手部をロック解除姿勢に回転しないように構成することが知られている。
【特許文献１】実公平８−２１０１号公報
【特許文献２】実公昭５０−５４６０号公報
【発明の開示】
【発明が解決しようとする課題】
【０００４】
上記のような特許文献２に記載の構成を採用した従来の箱型パレットでは、スプリングのような別部品とその取り付け作業が必要であるため、扉パネルのロック装置にかかるコストの大幅アップを免れないばかりでなく、スプリングの劣化や破損に起因する動作不良の恐れもある。又、確実な動作を期待しようとするとスプリングが強力になり、この結果、普段のロック解除時の操作性が悪くなる。
【課題を解決するための手段】
【０００５】
本発明は上記のような従来の問題点を解消し得る箱型パレットの扉パネルロック装置を提供することを目的とするものであって、その手段を後述する実施形態の参照符号を付して示すと、開閉自在な扉パネル５と当該扉パネル５を閉じた状態でロックする係止手段１１とを備え、当該係止手段１１は、扉パネル５に隣接する側パネル２，３側から突出する被係止部１４に対し係合する進出位置と当該被係止部１４から離脱する後退位置との間でピン長さ方向に出退移動可能で且つピン軸心の周りの自転可能に前記扉パネルに支持されたロックピン１６と、このロックピン１６に連設された把手部１７とから構成され、この係止手段１１には、前記進出位置にロックピン１６がある状態で前記把手部１７を扉パネル５に沿う垂下姿勢にロックピン１６と共に回転させたとき、扉パネル５側の２本の縦材１３ｂ，１３ｄと係合してロックピン１６を進出位置に位置決めする一対の係合部２２，２３が設けられ、この一対の係合部２２，２３の内の少なくとも一方の係合部２２と当該係合部２２が当接する扉パネル５側の縦材１３ｂの円柱状周面とで、前記垂下姿勢の直前に把手部１７の回転抵抗を最大にする把手部垂下姿勢保持手段が構成されている。
【０００６】
上記構成の本発明を実施するについて、具体的には請求項２に記載のように、一対の前記係合部２２，２３の内の少なくとも１つの係合部２２は、ロックピン１６から突設された略半円形の突起２１によって構成し、この突起２１を前記把手部垂下姿勢保持手段を構成する係合部２２とすることができる。
【０００７】
又、請求項３に記載のように、前記把手部１７は、Ｕ字形に曲げ加工された棒材の両縦軸部１７ａ，１７ｂをロックピン１６に固着して構成し、一対の前記係合部２２，２３の内の１つ２３は前記把手部１７の一方の縦軸部１７ｂで構成し、他の１つの係合部２２は、ロックピン１６から突設された略半円形の突起２１によって構成し、この突起２１で前記把手部垂下姿勢保持手段を構成する係合部２２を構成することができる。
【０００８】
更に、請求項２に記載の構成を採用する場合、請求項４に記載のように、前記ロックピン１６は、扉パネル５の外側に付設された左右一対のガイド部材１８，１９、即ち、棒材を略半円形に曲げ加工して内側をロックピン１６が貫通するように突出させたロックピン支持部１８ａ，１９ａを備えた左右一対のガイド部材１８，１９で支持し、ロックピン１６が進出位置にあるときの前記突起２１は、前記一対のガイド部材１８，１９の内の一方のガイド部材１８の外側に位置させ、把手部１７が垂下姿勢と真上に起立する姿勢との間の中間一定角度にあるときのみ、前記突起２１が前記ガイド部材１８のロックピン支持部１８ａを内側へ通過移動できるように構成することができる。
【発明の効果】
【０００９】
上記構成の本発明に係る扉パネルを備えた箱型パレットの扉パネルロック装置によれば、進出位置にあるロックピンと側パネル側の被係止部との係合により扉パネルが閉じ位置でロックされている状態では、このロックピンと把手部とから成る係止手段側の一対の係合部と扉パネル側の２本の縦材との嵌合により、ロックピンが後退移動（ロック解除方向への移動）するのを垂下姿勢にある把手部を介して阻止されているだけでなく、一対の係合部の内の少なくとも一方の係合部と当該係合部が当接する扉パネル側の縦材の円柱状周面とで構成された把手部垂下姿勢保持手段により、前記垂下姿勢の把手部がロックピンの進出位置での位置決めを解除する方向（起立方向）へ回転することに対して一定以上の抵抗が与えられている。換言すれば、前記把手部垂下姿勢保持手段が与えている抵抗に打ち勝つだけの操作力をもって把手部を起立方向へ回転させなければ、ロックピンの進出位置での位置決めを解除することができないので、単に振動などで把手部がぶらぶらして異音を発するのを防止できるだけでなく、この箱型パレットに内袋をセットしてバラものの搬送保管に使用する場合において、内袋からの内容物の取り出しのためにこのパレットを上下逆向きに反転させたときに把手部が重力で上下逆向きの姿勢（パレット側からみて起立姿勢）に回動することがなくなり、ロックピンによる扉パネルの状態を確実に維持させることができるのである。
【００１０】
従って本発明による扉パネルロック装置を備えた箱型パレットは、内袋をセットしてバラものの搬送保管に使用する場合においても、内袋からの内容物の取り出しのためにこのパレットを上下逆向きに反転させたことに起因して扉パネルが不測に開いてしまうような危険な異常事態が発生することが無くなり、安全に活用することができる。しかもスプリングやこれに代わるゴムベルトなどの付勢手段を必要とせず、比較的安価に実施することができる。
【００１１】
尚、請求項２に記載の構成によれば、前記把手部垂下姿勢保持手段を構成する係合部を簡単な構成で実現することができ、請求項３に記載の構成によれば、前記把手部垂下姿勢保持手段を構成するために実質的にはロックピンに１つの略半円形の突起を突設させるだけで済み、非常に簡単容易に本発明を実施することができる。
【００１２】
又、請求項４に記載の構成によれば、長期間の使用により、仮に前記把手部垂下姿勢保持手段を構成する係合部などの磨耗や変形により把手部を垂下姿勢で保持する力が弱まって、パレットが上下逆向きに反転されたときに把手部が起立方向に回転したとしても、当該把手部が垂下姿勢と起立姿勢との間の中間一定角度になければ、ロックピンが後退方向（ロック解除方向）に移動することができないので、ロックピンがロック解除方向に移動して扉パネルが不測にロック解除される危険な事態を一層確実に回避でき、安全性を一層高めることができる。
【発明を実施するための最良の形態】
【００１３】
以下、本発明の具体的実施形態を添付の例示図に基づいて説明すると、図１において、１は矩形の荷積載用ベースであって、その周囲三側辺に左右両側パネル２，３と背パネル４とが立設され、残る一側辺に扉パネル５が立設されている。具体的には、背パネル４は、その水平下側辺が荷積載用ベース１の後側辺にコイルヒンジを介して荷積載用ベース１の上に重ねるように折り畳み可能に取り付けられ、左右両側パネル２，３は、その垂直後側辺が背パネル４の垂直左右両側辺にコイルヒンジ６，７を介して背パネル４の外側に重ねるように折り畳み可能に取り付けられ、扉パネル５は、内側に折曲された水平下側辺が荷積載用ベース１の前側辺に近い位置にコイルヒンジ８を介して前後開閉可能に取り付けられた下半部５Ａと、この扉パネル下半部５Ａの水平上側辺にコイルヒンジ９を介して前後開閉可能に取り付けられた上半部５Ｂとから構成されている。従って、左右両側パネル２，３を背パネル４の外側に重ねるように折り畳んだ状態で当該背パネル４を荷積載用ベース１の上に重ねるように折り畳み、その上に重ねるように扉パネル５を折り畳むことができる。
【００１４】
荷積載用ベース１の四隅下側には、フォークリフトのフォーク差し込み空間を形成すると共に同一パレットの段積みの際に上側パレットの左右両側パネル２，３の前後両端部を支持する脚体１０が突設されている。尚、各パネル２〜５を荷積載用ベース１の上に重ねるように折り畳んだ状態のパレットを段積みできるように、各脚体１０に上段折り畳みパレットの脚体１０を支持する上段折り畳みパレット支持部が突設されているパレットにおいては、左右両側パネル２，３を背パネル４の内側に重ねるように折り畳んだ状態で背パネル４を荷積載用ベース１の上に重ねるように折り畳み、その上に扉パネル５を重ねるように折り畳むことができるように、荷積載用ベース１に対し背パネル４と扉パネル５とがコイルヒンジを介して取り付けられる。
【００１５】
扉パネル５の下半部５Ａの垂直左右両側辺の上端寄り２箇所と扉パネル５の上半部５Ｂの垂直左右両側辺の上端寄り２箇所には、係止手段１１が配設されている。これら４つの係止手段１１の内、上下関係にある２つの係止手段１１は同一であり、左右関係にある２つの係止手段１１は左右対称形に構成されており、基本構造は全て同一である。図２〜図９は、扉パネル５の上半部５Ｂの左側の係止手段１１を例示している。
【００１６】
図２〜図４に示すように、各パネル２〜５は、内側に配置された鋼製丸棒材から成る横材１２と外側に配置された鋼製丸棒材から成る縦材１３，１３ａ〜１３ｅとを碁盤目状に配列し、各横材１２と縦材１３，１３ａ〜１３ｅとを両者の交叉部で溶接により互いに固着して構成されたメッシュ構造の従来周知のものであり、各パネル２〜５の上端のみ、縦材１３，１３ａ〜１３ｅの上端を挟むように２本の横材１２が内外２列に配置固着されている。又、扉パネル５の左右両側辺の縦材１３ａとその内側の縦材１３ｂとの間の間隔は、他の箇所の縦材間の間隔よりも狭められ、図１に示すように扉パネル５で左右両側パネル２，３の前側辺間を閉じたとき、図２〜図４に示すように、各係止手段１１に対応する高さで左右両側パネル２，３の垂直前側辺から突設されている被係止部１４が、扉パネル５の左右両側辺の間隔が狭められた縦材１３ａ，１３ｂ間を前方へ通過突出するように構成され、これにより左右両側パネル２，３を略垂直姿勢に保持できるように構成している。被係止部１４は、Ｕ字形に曲げ加工した鋼製丸棒材１５の平行軸部を水平向きで左右両側パネル２，３の縦材１３の内側に溶接により固着し、左右両側パネル２，３の垂直前縁から突出するＵ字形部分１５ａにより構成している。
【００１７】
係止手段１１は、ロックピン１６とこのロックピン１６に付設された把手部１７とから構成されている。ロックピン１６は鋼製丸棒材から成るもので、扉パネル５の外側に取り付けられた左右一対のガイド部材１８，１９により、ピン軸心方向の水平移動とピン軸心の周りの回転とが可能なように左右水平横向きに支持されている。左右一対のガイド部材１８，１９は、扉パネル５の縦材１３ｂ，１３ｃ間及び縦材１３ｄ，１３ｅ間で上下２本の横材１２の外側に溶接により縦向きに固着され、上端部には略半円形に突出するロックピン支持部１８ａ，１９ａを備え、これら両ロックピン支持部１８ａ，１９ａと扉パネル５の縦材１３ａ〜１３ｅとの間でロックピン１６が左右水平横向きに支持されている。尚、両ガイド部材１８，１９は、その上端間をつなぐ横材部２０と共に１本の鋼製丸棒材を曲げ加工して一体に形成されたものである。
【００１８】
把手部１７は、１本の鋼製丸棒材をＵ字形に曲げ加工して構成したもので、その左右両縦軸部１７ａ，１７ｂの遊端部が、左右一対のガイド部材１８，１９の中間位置でロックピン１６の内側に重なる状態で溶接により固着されている。従って、この把手部１７が左右一対のガイド部材１８，１９間で左右水平方向に移動し得る範囲内に限って、当該把手部１７を把持してロックピン１６をピン軸心方向に出退移動させることができる。一方、ロックピン１６には、被係止部１４に対し係脱自在な先端部１６ａの近傍位置で、図２、図３、及び図７に示すようにこのロックピン１６の周面から略半円形に突出する突起２１がプレス成形により一体に形成されている。
【００１９】
上記の把手部１７と左右一対のガイド部材１８，１９及び扉パネル５側の縦材１３ｃ，１３ｄとの位置関係や、把手部垂下姿勢保持手段を構成する一対の係合部２２，２３と扉パネル５側の縦材１３ｂ，１３ｄとの位置関係などは、以下に説明する機能が期待できるように設定されている。
【００２０】
即ち、ロックピン１６は、把手部１７を手前上方にロックピン１６を軸にして回転させ、その両縦軸部１７ａ，１７ｂの遊端部が扉パネル５側の縦材１３ｃ，１３ｄと干渉しない状態にすれば、当該把手部１７を把持してロックピン１６をそのピン軸心方向に先に説明した範囲内で出退移動させることができる。従って、図１に示すように扉パネル５で左右両側パネル２，３の前端間を閉じ、図２〜図４に示すように左右両側パネル２，３側の被係止部１４を扉パネル５の左右両側辺の縦材１３ａ，１３ｂ間で前方へ通過突出させた状態で、把手部１７を介してロックピン１６を、当該把手部１７の外側縦軸部１７ａが外側ガイド部材１８のロックピン支持部１８ａの内側に隣接する進出位置まで進出移動させることにより、その先端部１６ａを被係止部１４内（Ｕ字形部分１５ａ内）に挿通させ、扉パネル５を閉じ位置にロックすることができる。この状態で把手部１７をロックピン１６と共に図示の垂下姿勢に回転させると、突起２１が扉パネル５側の縦材１３ｂの内側へ摺接して入り込むと共に、把手部１７の内側縦軸部１７ｂ（その遊端部）が扉パネル５側の縦材１３ｄの外側に摺接して入り込むことになる。即ち、垂下姿勢になった把手部１７、延いては進出位置（ロック位置）に達したロックピン１６は、突起２１と把手部１７の内側縦軸部１７ｂ（その遊端部）とが扉パネル５側の２本の縦材１３ｂ，１３ｄの間に入り込んで、左右何れにも移動できない状態に位置決めされることになる。従ってこの実施形態では、突起２１と把手部１７の内側縦軸部１７ｂ（その遊端部）とが、ロックピン１６を進出位置に位置決めする２つの係合部２２，２３を構成している。
【００２１】
図３に示すように縦材１３ｂ，１３ｄは円柱状周面を有する丸棒材であるため、両縦材１３ｂ，１３ｄ間の間隔は、横断平面視において両者の軸心を結ぶ線上での間隔が最も狭く、これより内外何れの方向に離れても漸増する。そして図７及び図８に示すように、前記突起２１（係合部２２）は、ロックピン１６の軸心方向に沿った板状で且つ板面形状が略半円形であり、この突起２１のロックピン１６からの突出量は、図示のように当該突起２１がロックピン１６から扉パネル５側へ水平に突出する向きにあるとき、当該突起２１が扉パネル５側の２本の縦材１３ｂ，１３ｄ間の最も間隔の狭まった箇所付近で縦材１３ｂに圧接するが、図２、図３、及び図９Ａに示すように、把手部１７が垂下姿勢になって当該突起２１（係合部２２）がロックピン１６から扉パネル５側で斜め上向きに傾斜する状態になったときには、当該突起２１が扉パネル５側の２本の縦材１３ｂ，１３ｄ間の最も間隔の狭まった箇所より外側の間隔が若干広まった箇所で縦材１３ｂに圧接することになるように設定されている。
【００２２】
従って、上記のようにロックピン１６を進出位置まで移動させて側パネル２，３側の被係止部１４に係合させた状態で把手部１７を垂下姿勢まで回転させて、ロックピン１６を進出位置で位置決めした状態から把手部１７を上方に回転させたとき、その上方への回転に伴って、突起２１が扉パネル５側の２本の縦材１３ｂ，１３ｄ間の最も間隔の狭まった箇所に入り込むことになり、このとき、図８Ｂに示す突起２１と縦材１３ｂとの間の平面視における仮想重なり代ａの分だけ、突起２１（係合部２２）と把手部１７の内側縦軸部１７ｂ（係合部２３）とが扉パネル５側の２本の縦材１３ｂ，１３ｄを押し広げることになる。このときの押し広げ量（抵抗力）は、図７及び図８Ａに示すように突起２１が縦材１３ｂに対して直交する水平向きになったとき最大になり、更に把手部１７が上方に回転して突起２１が斜め下向きになるにつれて前記押し広げ量（抵抗力）は小さくなり、突起２１が縦材１３ｂから外側へ離れると、把手部１７はフリーの状態になる。
【００２３】
上記の説明から明らかなように、ロックピン１６を進出位置まで移動させて側パネル２，３側の被係止部１４に係合させた状態で把手部１７を垂下姿勢に向けて回転させると、突起２１（係合部２２）が扉パネル５側の縦材１３ｂの内側に入り込むまでは殆ど抵抗なく把手部１７を回転させることができ、突起２１（係合部２２）が扉パネル５側の縦材１３ｂの内側に入り込むに従って把手部１７にかかる回転抵抗が漸増し、その回転抵抗は、図７及び図８に示すように突起２１が縦材１３ｂに対して直交する水平向きになったとき最大になり、この点を中立点（デッドポイント）としてその後は把手部１７の回転に伴って回転抵抗が漸減し、図２〜図４、及び図９Ａに示す垂下姿勢に達したとき回転抵抗が最小になる。換言すれば、垂下姿勢にある把手部１７が上方に回転するときには、回転抵抗が漸増するので、この回転抵抗に打ち勝つだけの操作力を把手部１７にかけない限り、把手部１７が振動や、このパレットが上下反転させられたときに把手部１７に作用する重力で起立方向に回転することは無く、把手部１７は、ロックピン１６を進出位置（ロック位置）で位置決めした垂下姿勢に自動的に保持される。従ってこの実施形態では、当該突起２１（係合部２２）と扉パネル５側の縦材１３ｂとで、垂下姿勢の直前に把手部１７の回転抵抗を最大にする把手部垂下姿勢保持手段が構成されているのである。
【００２４】
係止手段１１による扉パネル５の閉じ位置でのロックを解除するときは、垂下姿勢にある把手部１７を、上記の中立点まで漸増する回転抵抗に抗して上方に強制的に回転させ、当該把手部１７をロックピン１６の軸心方向に後退移動させても両縦軸部１７ａ，１７ｂの遊端部が扉パネル５側の縦材１３ｃ，１３ｄと干渉しない角度まで起立させる。これにより、把手部１７の両縦軸部１７ａ，１７ｂが扉パネル５側の外側ガイド部材１８と縦材１３ｄとの間に入り込むことによるロックピン１６に対する進出位置での位置決めが解除されるので、係る状態で把手部１７と共にロックピン１６を後退移動させ、図５及び図６に示すように、ロックピン１６の先端部１６ａを側パネル２，３側の被係止部１４から離脱させ、扉パネル５の閉じ位置でのロックを解除することができる。即ち、扉パネル５を自由に開閉操作することができる。
【００２５】
尚、図５及び図６に示すように、ロックピン１６の後退移動は、把手部１７の内側縦軸部１７ｂが扉パネル５側の内側ガイド部材１９のロックピン支持部１９ａとの当接により制限され、この状態で把手部１７をロックピン１６と共に下方へ垂下姿勢まで回転させることにより、把手部１７の両縦軸部１７ａ，１７ｂが扉パネル５側の内側ガイド部材１９と縦材１３ｃとの間に入り込み、ロックピン１６が後退位置（ロック解除位置）で位置決めされる。この状態では、ロックピン１６側の突起２１（係合部２２）は機能していない。
【００２６】
係合部２２としての突起２１を、上記実施形態で説明した位置においてロックピン１６に突設するときは、当該突起２１と扉パネル５側の外側ガイド部材１８におけるロックピン支持部１８ａとが以下の機能を発揮するように構成することができる。即ち、突起２１を備えたロックピン１６は、扉パネル５側のガイド部材１８，１９のロックピン支持部１８ａ，１９ａの内側で扉パネル５側の縦材１３ａ〜１３ｅとの間に形成される通路内で遊動できるが、図９に示すように当該通路は、ロックピン支持部１８ａ，１９ａが鋼製丸棒材を略半円形に突曲させることにより形成されているので、縦断側面視において縦材１３ａ〜１３ｅに隣接する垂直辺の上下両角部が上下方向に角状に突出した略半円形になる。従って把手部１７が、図９Ａに示す垂下姿勢と図９Ｃに示す真上に起立した姿勢との間の中間一定角度θであって、その両縦軸部１８，１９の遊端部が扉パネル５側の縦材１３ｃ，１３ｄと干渉する領域から外側に外れた直後の一定角度θにあるときのみ、図９Ｂに示すように、把手部１７でロックピン１６を後退移動させたときに突起２１が扉パネル５側の外側ガイド部材１８のロックピン支持部１８ａの内側通路における垂直辺の下側角状突出空間部を経由して当該外側ガイド部材１８のロックピン支持部１８ａを内側ガイド部材１９の方へ通過移動できるように構成することができる。
【００２７】
換言すれば、係止手段１１のロックピン１６による扉パネル５の閉じ位置でのロックを解除するとき、垂下姿勢にある把手部１７を図９Ｂに示す一定角度θまで上方に回転させたときのみ、当該把手部１７でロックピン１６を進出位置から後退位置まで移動させてロックを解除することができ、把手部１７が上記一定角度θを超えて真上に起立した姿勢までの範囲内にあるときは、図９Ｃに示すように、突起２１が外側ガイド部材１８のロックピン支持部１８ａと干渉して、ロックピン１６が進出位置から後退移動するのを阻止することになる。尚、この図示の実施形態では、図９Ｂに示すように垂下姿勢にある把手部１７を図９Ｂに示す一定角度θまで上方に回転させたとき、更に把手部１７でロックピン１６をロックピン支持部１８ａ，１９ａの内側空間の遊びの範囲内で上方に引き上げるようにして初めて、突起２１をしてロックピン支持部１８ａ内を通過移動させることができるように構成している。又、図９Ｃは、真上に起立する姿勢まで回転した把手部１７でロックピン１６をロックピン支持部１８ａ，１９ａの内側空間の遊びの範囲内で更に上方に引き上げても、突起２１がロックピン支持部１８ａと干渉してロックピン１６の後退移動を阻止し得ることを示している。
【００２８】
図９Ｃに示すところから明らかなように、上記のように構成することにより、この箱型パレットに内袋をセットしてバラものの搬送保管に使用する場合において、内袋からの内容物の取り出しのためにこのパレットを上下逆向きに反転させたとき、仮に他物との接触や強い振動などで垂下姿勢での把手部１７に対する保持が不測に解除され、重力で把手部１７がパレット側から見て垂下姿勢から真上に起立する姿勢に回動して、対地的にロックピン１６から垂れ下がる状態になっても、突起２１と外側ガイド部材１８のロックピン支持部１８ａとの干渉によりロックピン１６が把手部１７と共に後退移動して扉パネル５のロックが解除されてしまうのを阻止することができるのである。
【００２９】
尚、扉パネル５側の２本の縦材と係合してロックピン１６を進出位置に位置決めする一対の係合部として、把手部１７を利用しないで、ロックピン１６の軸心方向に離れた２箇所から２つの突起を突設し、これら２つの突起が扉パネル５側の縦材１３ｂ〜１３ｅの内の任意の２本の内側又は外側に摺接して入り込むように構成することができる。この場合、ロックピン１６から突設された２つの突起（係合部）の両方を上記実施形態の突起２１と同一に構成し、これら２つの突起（係合部）とこれら両突起が係合する扉パネル５側の縦材１３ｂ〜１３ｅの内の２本とで、垂下姿勢の直前に把手部１７の回転抵抗を最大にする把手部垂下姿勢保持手段を構成することができる。
【００３０】
図１０に示す扉パネル５では、その側辺の縦材１３ａの内側にガイド部材１８を配置し、このガイド部材１８と前記縦材１３ａとの間に側パネル２，３側の被係止部１４が嵌入する空隙を形成している。このような扉パネル５の構成では、ロックピン１６側の係合部２２（突起２１）は、当該ロックピン１６が進出位置（ロック位置）にあるときに扉パネル５の側辺から２番目の縦材１３ｂの内側に隣接する位置に設けることができる。この構成では、把手部１７が垂下姿勢に達する直前に、前記突起２１が縦材１３ｂを外側へ押圧することにより把手部１７に働く回転抵抗が最大になる。尚、この構成では、ロックピン１６を進出位置（ロック位置）から後退移動させるとき、突起２１がガイド部材１８のロックピン支持部１８ａ内を通過移動しないため、先に説明したように、把手部１７が垂下姿勢と真上に起立する姿勢との中間一定角度にあるときのみ、ロックピン１６を進出位置（ロック位置）から後退移動させることができるようにするときは、図１０に点線で示すように、前記突起２１とは別に、ロックピン１６が進出位置（ロック位置）にあるときに内側ガイド部材１９のロックピン支持部１９ａの外側に隣接するように第二の突起２１’をロックピン１６に突設し、把手部１７が垂下姿勢と真上に起立する姿勢との中間一定角度にあるときのみ、ロックピン１６を進出位置（ロック位置）から後退移動させるときに第二の突起２１’が内側ガイド部材１９のロックピン支持部１９ａ内を内側へ通過移動するように構成すれば良い。
【図面の簡単な説明】
【００３１】
【図１】箱型パレットの全体を示す斜視図である。
【図２】ロック作用状態にある１つの係止手段を示す要部の正面図である。
【図３】図２の横断平面図である。
【図４】図２の側面図である。
【図５】ロック解除状態に切り換えた状態の係止手段を示す要部の正面図である。
【図６】図５の横断平面図である。
【図７】把手部を中立点まで回転させた状態での係止手段を示す要部の縦断側面図である。
【図８】Ａ図は図７の横断平面図、Ｂ図は同要部の作用を説明する拡大図である。
【図９】Ａ図は把手部が垂下姿勢にある状態での係止手段を示す要部の縦断側面図、Ｂ図は把手部が中間一定角度まで回転した状態での係止手段を示す要部の縦断側面図、Ｃ図は把手部が真上に起立する姿勢まで回転した状態での係止手段を示す要部の縦断側面図である。
【図１０】変形例を説明する要部の正面図である。
【符号の説明】
【００３２】
１    荷積載用ベース
２，３    左右両側パネル
４    背パネル
５    扉パネル
５Ａ    扉パネル下半部
５Ｂ    扉パネル上半部
６〜９    コイルヒンジ
１１    係止手段
１２    パネルを構成する横材
１３，１３ａ〜１３ｅ    パネルを構成する縦材
１４    被係止部
１５    Ｕ字形鋼製丸棒材
１６    ロックピン
１７    把手部
１８，１９    ガイド部材
１８ａ，１９ａ    ロックピン支持部
２１    突起
２２，２３    係合部
【図１】
2007112453.tif 000003
【図２】
2007112453.tif 000004
【図３】
2007112453.tif 000005
【図４】
2007112453.tif 000006
【図５】
2007112453.tif 000007
【図６】
2007112453.tif 000008
【図７】
2007112453.tif 000009
【図８】
2007112453.tif 000010
【図９】
2007112453.tif 000011
【図１０】
2007112453.tif 000012